【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
化学線架橋性プレポリマーであって、
（ａ）第一の親水性モノマー、少なくとも１種のポリシロキサン含有架橋剤、第一の官能基を有する連鎖移動剤、第二の親水性モノマーを含む重合性混合物を、共重合させて第一の官能基を有するコポリマーを得て；そして
（ｂ）エチレン性不飽和基及び第二の官能基を含む有機化合物と、共重合生成物とを反応させて、エチレン性不飽和基を有する架橋性プレポリマーを形成する
工程によって得られ、
有機化合物の第二の官能基は、共重合生成物の第一の官能基の一つと反応し、第二の親水性モノマーは、精製後に化学線で又は熱的に架橋してシリコーンヒドロゲル材料を形成することができる生成プレポリマーを得るのに十分な量で存在し、シリコーンヒドロゲル材料は１０％以下の不揮発性抽出物の量を有する、化学線架橋性プレポリマー。
【請求項２】
シリコーンヒドロゲル材料の不揮発性抽出分が１０％以下であり、第二の親水性モノマーが、２−ヒドロキシエチルアクリレート（ＨＥＡ）、グリシジルメタクリレート（ＧＭＡ）、Ｎ−ビニルピロリドン（ＮＶＰ）、アクリル酸（ＡＡ）、及び重量平均分子量が２００〜１５００のＣ1〜Ｃ4−アルコキシポリエチレングリコール（メタ）アクリレートよりなる群から選択される、請求項１記載のプレポリマー。
【請求項３】
シリコーンヒドロゲル材料の不揮発性抽出分が５％以下である、請求項２記載のプレポリマー。
【請求項４】
第一の親水性モノマーが、（Ｃ1〜Ｃ4−アルキル）アクリルアミド、Ｎ，Ｎ−ジ−（Ｃ1〜Ｃ4−アルキル）アクリルアミド、又はこれらの混合物である、請求項２記載のプレポリマー。
【請求項５】
第一の親水性モノマーがＤＭＡであり、かつ第二の親水性モノマーが重量平均分子量３００〜１０００のＣ1〜Ｃ4アルコキシポリエチレングリコール（メタ）アクリレートである、請求項２記載のプレポリマー。
【請求項６】
第一の親水性モノマーがＤＭＡであり、かつ第二の親水性モノマーがＨＥＡである、請求項２記載のプレポリマー。
【請求項７】
第一の親水性モノマーがＤＭＡであり、かつ第二の親水性モノマーがＨＥＡとＡＡの混合物である、請求項２記載のプレポリマー。
【請求項８】
ポリシロキサン含有架橋剤が、式：
【化８】
2009543901.tif 000001
（式中、（ａｌｋ）は−Ｏ−で中断されていてもよい２０個までの炭素原子を有するアルキレンであり；Ｘは−Ｏ−又は−ＮＲ8−であり、Ｒ8は水素又はＣ1〜Ｃ6−アルキルであり、Ｑは架橋性又は重合性の基を含む有機ラジカルであり、ラジカルＲ6、Ｒ6’、Ｒ6”、Ｒ6’”、Ｒ6*、Ｒ7、Ｒ7’及びＲ7”の８０〜１００％は、互いに独立して、Ｃ1〜Ｃ8−アルキルであり、かつラジカルＲ6、Ｒ6’、Ｒ6”、Ｒ6’”、Ｒ6*、Ｒ7、Ｒ7’及びＲ7”の０〜２０％は、互いに独立して、非置換又はＣ1〜Ｃ4アルキル−若しくはＣ1〜Ｃ4−アルコキシ−置換フェニル、フルオロ（Ｃ1〜Ｃ18−アルキル）、シアノ（Ｃ1〜Ｃ12−アルキル）、ヒドロキシ−Ｃ1〜Ｃ6−アルキル又はアミノ−Ｃ1〜Ｃ6−アルキルであり、ｘは０又は１の数であり、ｄ1は５〜７００の整数であり、ｄ2は、ｘが０の場合は０〜８の整数、ｘが１の場合は２〜１０の整数であり、（ｄ1＋ｄ2）の合計は５〜７００である）のポリシロキサンである、請求項２記載のプレポリマー。
【請求項９】
ポリシロキサン含有架橋剤が、式：
【化９】
2009543901.tif 000002
（式中、Ｒ6、Ｒ6’、Ｒ7及びＲ7’はそれぞれメチルであり、ｄ1は、１０〜３００の整数であり、（ａｌｋ）は直鎖状若しくは分岐状のＣ2〜Ｃ6アルキレン又はラジカル−（ＣＨ2）1-3−Ｏ−（ＣＨ2）1-3−であり、Ｘは−Ｏ−又は−ＮＨ−であり、そしてＱは式：
【化１０】
2009543901.tif 000003
のラジカルである）のポリシロキサンである、請求項２記載のプレポリマー。
【請求項１０】
連鎖移動剤が、ヒドロキシ、アミノ、Ｎ−Ｃ1〜Ｃ6−アルキルアミノ又はカルボキシ基を有する有機第一級チオールである、請求項１記載のプレポリマー。
【請求項１１】
工程（ａ）における成分を、連鎖移動剤０．５〜５当量：ポリシロキサン含有架橋剤１当量：親水性モノマー５〜６０当量のモル比で用いる、請求項１記載のプレポリマー。
【請求項１２】
工程（ｂ）において、工程（ａ）のコポリマーを式：
【化１１】
2009543901.tif 000004
［式中、Ｒ13はハロゲン、ヒドロキシ、非置換若しくはヒドロキシ−置換Ｃ1〜Ｃ6−アルコキシ又はフェノキシであり、Ｒ14及びＲ15は互いに独立して、水素、Ｃ1〜Ｃ4−アルキル、フェニル、カルボキシ又はハロゲンであり、Ｒ16は、水素、Ｃ1〜Ｃ4アルキル又はハロゲンであり、Ｒ17及びＲ17’はそれぞれ２〜６個のＣ原子を有するエチレン性不飽和ラジカルであるか、又はＲ17及びＲ17’は一緒になって、２価のラジカル−Ｃ（Ｒ14）＝Ｃ（Ｒ16）−（式中、Ｒ14及びＲ16は前記定義の通りである）を形成し、（Ａｌｋ*）はＣ1〜Ｃ6−アルキレンであり、（Ａｌｋ**）はＣ2〜Ｃ12−アルキレンである］の化合物と反応させる、請求項１記載のプレポリマー。
【請求項１３】
化学線架橋性又は重合性のプレポリマーを含む、レンズ形成材料を型内で硬化することにより得られるケイ素ヒドロゲル材料を含むソフトコンタクトレンズであって、プレポリマーが、
（ａ）第一の親水性モノマー、少なくとも１種のポリシロキサン含有架橋剤、第一の官能基を有する連鎖移動剤、第二の親水性モノマーを含む重合性混合物を共重合させて第一の官能基を有するコポリマーを得て；そして
（ｂ）エチレン性不飽和基及び第二の官能基を含む有機化合物と、共重合生成物とを反応させて、エチレン性不飽和基を有する架橋性プレポリマーを形成する
工程により得られ、
有機化合物の第二の官能基は共重合生成物の第一の官能基の一つと反応し、第二の親水性モノマーは、精製後に化学線で又は熱的に架橋してシリコーンヒドロゲル材料を形成することができる生成プレポリマーを得るのに十分な量で存在し、シリコーンヒドロゲル材料は低減された不揮発性抽出物の量を有する、化学線架橋性又は重合性のプレポリマーを含む、レンズ形成材料を型内で硬化することにより得られるケイ素ヒドロゲル材料を含むソフトコンタクトレンズ。
【請求項１４】
化学線架橋性プレポリマーの製造方法であって、
（１）第一の親水性モノマー、少なくとも１種のポリシロキサン含有架橋剤、第二の親水性モノマー、及び第一の官能基を有し望ましい初期濃度を有する量で存在する連鎖移動剤を含む反応混合物を得て；
（２）反応混合物の温度を調節して重合反応を開始し；
（３）連鎖移動剤を反応混合物に、望ましい初期濃度と濃度比較するのに十分な速度で、連鎖移動剤の望まれる合計量を添加するまで投与し；
（４）連鎖移動剤投与の終了後、反応を完結させるために反応混合物を反応温度に維持し、第一の官能基を有する共重合生成物を得て；
（５）エチレン性不飽和基及び第二の官能基を含む有機化合物と、共重合生成物とを反応させて、有機化合物の第二の官能基は共重合生成物の第一の官能基の一つと反応し、エチレン性不飽和基を有する架橋性プレポリマーを形成する
工程を含み、架橋性プレポリマーは架橋してシリコーンヒドロゲル材料を形成することができる、化学線架橋性プレポリマーの製造の方法。